(57)【要約】【課題】遊技機における遊技の趣向性を高く維持して、遊技機の導入コストを低減させることができる遊技機の図柄表示装置を提供する。【解決手段】遊技機７の図柄表示装置１は、縦方向Ｈに沿って表示体３の長手方向Ｌが配置された複数の第１表示機構体２Ａと、横方向Ｗに沿って表示体３の長手方向Ｌが配置された複数の第２表示機構体２Ｂとを有する。複数の第２表示機構体２Ｂの表示体３は、複数の第１表示機構体２Ａの表示体３の前方に重なって配置されている。複数の第１表示機構体２Ａの表示体３における図柄は、複数の第２表示機構体２Ｂの表示体３を透過して視認可能である。【選択図】図１
2018134329.tif 000002
【特許請求の範囲】
【請求項１】
図柄が表示された長尺状の表示体と、前記表示体をその長手方向に沿って移動させる移動機構と、を有する表示機構体を複数備え、
前記複数の表示機構体には、第１方向に沿って前記表示体の前記長手方向が配置された複数の第１表示機構体と、前記表示体の基材が透明部材によって形成され、前記第１方向と異なる第２方向に沿って前記表示体の前記長手方向が配置された複数の第２表示機構体と、が含まれ、
前記複数の第２表示機構体の前記表示体は、前記複数の第１表示機構体の前記表示体の前方に重なって配置されており、
前記複数の第１表示機構体の前記表示体における図柄は、前記複数の第２表示機構体の前記表示体を透過して視認可能である、遊技機の図柄表示装置。
【請求項２】
前記移動機構には、前記表示体の移動位置を検出する検出部が設けられており、
前記表示体の前記長手方向に直交する幅方向の両端部のうちの少なくとの一方の端部には、前記検出部によって検出される被検出部が設けられており、
前記表示体の前記両端部は、遮蔽部材によって遮蔽されており、
前記遮蔽部材は、前記複数の第１表示機構体の前記表示体同士の間、前記複数の第２表示機構体の前記表示体同士の間、前記複数の第１表示機構体のうちの両端に位置する第１表示機構体の外側、及び前記複数の第２表示機構体のうちの両端に位置する第２表示機構体の外側に配置されている、請求項１に記載の遊技機の図柄表示装置。
【請求項３】
前記複数の第１表示機構体の前記表示体と、前記複数の第２表示機構体の前記表示体とには、同じ図柄が含まれている、請求項１又は２に記載の遊技機の図柄表示装置。
【発明の詳細な説明】
【技術分野】
【０００１】
本発明は、遊技機において、遊技に応じて表示される図柄を変更可能な図柄表示装置に関する。
【背景技術】
【０００２】
パチンコ遊技機等の遊技機においては、種々の画像を表示可能な画像表示装置が遊技盤に配置されている。そして、遊技盤における遊技の状態に応じて、画像表示装置に表示する画像を変更している。また、遊技の趣向性を向上させるために、例えば、特許文献１の遊技機においては、画像表示装置の他に、透明フィルム又はベルトを用いた補助図柄装置を用いている。補助図柄装置の透明フィルム又はベルトに設けられた図柄が、画像表示装置の表示面の前方に位置することにより、画像表示装置の画像と補助図柄装置の図柄とを合わせて、バリエーションの多い遊技進行上の演出を可能にしている。
【先行技術文献】
【特許文献】
【０００３】
【特許文献１】特開２００５−２４５７３２号公報
【発明の概要】
【発明が解決しようとする課題】
【０００４】
ところで、遊技機においては、画像表示装置に表示させる画像の多様性等により、遊技機が複雑になり、遊技機を導入するコストも増大する傾向にある。特許文献１に示される補助図柄装置は、画像表示装置と併用されるものであり、遊技機を複雑にし、その導入コストを増大させるものである。仮に、画像表示装置を用いずに、補助図柄装置を単独で用いることを考えた場合、表示される図柄が単調になり、遊技の趣向性を維持することができない。従って、遊技の趣向性を維持して、導入コストを低減させることができる新たな図柄表示装置の開発が望まれる。
【０００５】
本発明は、かかる課題に鑑みてなされたもので、遊技機における遊技の趣向性を高く維持して、遊技機の導入コストを低減させることができる遊技機の図柄表示装置を提供しようとして得られたものである。
【課題を解決するための手段】
【０００６】
本発明の一態様は、図柄が表示された長尺状の表示体と、前記表示体をその長手方向に沿って移動させる移動機構と、を有する表示機構体を複数備え、
前記複数の表示機構体には、第１方向に沿って前記表示体の前記長手方向が配置された複数の第１表示機構体と、前記表示体の基材が透明部材によって形成され、前記第１方向と異なる第２方向に沿って前記表示体の前記長手方向が配置された複数の第２表示機構体と、が含まれ、
前記複数の第２表示機構体の前記表示体は、前記複数の第１表示機構体の前記表示体の前方に重なって配置されており、
前記複数の第１表示機構体の前記表示体における図柄は、前記複数の第２表示機構体の前記表示体を透過して視認可能である、遊技機の図柄表示装置にある。
【発明の効果】
【０００７】
前記遊技機の図柄表示装置は、遊技機の第１方向に沿って、表示体の長手方向が配置された複数の第１表示機構体と、遊技機の第２方向に沿って、表示体の長手方向が配置された複数の第２表示機構体とを有する。第２方向は、第１方向とは異なる種々の方向として設定される。また、複数の第２表示機構体の表示体は、複数の第１表示機構体の表示体の前方に重なって配置されており、複数の第１表示機構体の表示体における図柄は、複数の第２表示機構体の表示体を透過して視認可能である。
【０００８】
そして、遊技機における遊技の状態に応じて、複数の第１表示機構体の表示体における図柄と、複数の第２表示機構体の表示体における図柄とが合わさった状態を遊技者に表示することができる。この図柄の合わせ方の演出は、第１表示機構体の表示体の第１方向への移動と、第２表示機構体の表示体の第２方向への移動とを組み合わせて行う。そのため、図柄の合わせ方に多様性を持たせることができる。その結果、図柄に予測しにくい動きを与えることができ、遊技の趣向性を高く維持することができる。なお、図柄の合わせ方としては、複数の第２表示機構体の表示体における図柄と複数の第１表示機構体の表示体における図柄とが、縦、横、斜め等に並ぶ状態、前後に重なる状態、互いに繋がって１つの組図柄を形成する状態等がある。
【０００９】
また、前記図柄表示装置を用いることにより、遊技機における画像表示装置を廃止する、又は画像表示装置における画像表示機能を簡略化することができる。これにより、遊技機の構造を簡単にして、遊技機の導入コストを低減させることができる。
【００１０】
それ故、前記遊技機の図柄表示装置によれば、遊技機における遊技の趣向性を高く維持して、遊技機の導入コストを低減させることができる。
なお、前記表示体における「図柄」は、数字、文字、図形、記号、模様等とすることができる。
【図面の簡単な説明】
【００１１】
【図１】実施形態にかかる、図柄表示装置を示す斜視図。
【図２】実施形態にかかる、遊技機の遊技盤に配置された図柄表示装置を前方から見た状態で示す説明図。
【図３】実施形態にかかる、第１表示機構体を側方から見た状態で示す説明図。
【図４】実施形態にかかる、第２表示機構体を上方から見た状態で示す説明図。
【図５】実施形態にかかる、第１表示機構体における表示体を直線状に展開した状態を模式的に示す説明図。
【図６】実施形態にかかる、第２表示機構体における表示体を直線状に展開した状態を模式的に示す説明図。
【図７】実施形態にかかる、図柄表示装置における図柄の表示の仕方を示す説明図。
【発明を実施するための形態】
【００１２】
前述した遊技機の図柄表示装置にかかる好ましい実施形態について、図面を参照して説明する。
遊技機７の図柄表示装置１は、図１及び図２に示すように、表示機構体２Ａ，２Ｂを複数備えており、各表示機構体２Ａ，２Ｂは、図柄３２が表示された長尺状の表示体３と、表示体３をその長手方向Ｌに沿って移動させる移動機構４とを有する。複数の表示機構体２Ａ，２Ｂには、遊技機７の第１方向としての縦方向Ｈに沿って表示体３の長手方向Ｌが配置された複数の第１表示機構体２Ａと、第１方向と異なる遊技機７の第２方向としての横方向Ｗに沿って表示体３の長手方向Ｌが配置された複数の第２表示機構体２Ｂとがある。
【００１３】
第２表示機構体２Ｂの表示体３の基材は、透明部材によって形成されている。複数の第２表示機構体２Ｂの表示体３は、複数の第１表示機構体２Ａの表示体３の前方Ｆに重なって配置されている。そして、複数の第１表示機構体２Ａの表示体３における図柄３２は、複数の第２表示機構体２Ｂの表示体３を透過して視認可能である。
【００１４】
以下に、本形態の遊技機７の図柄表示装置１について詳説する。
図２に示すように、本形態の遊技機７は、パチンコ遊技を行うパチンコ遊技機である。遊技機７は、レール７１２の内側に遊技領域７１１が形成された遊技盤７１と、遊技盤７１が配置された本体枠と、本体枠に対して開閉可能に設けられた裏機構部と、本体枠を開閉可能に支持する外枠とを有する。図柄表示装置１は、遊技盤７１に形成された開口穴７１３に配置されており、図柄表示装置１の前面が遊技者から視認可能である。
【００１５】
遊技盤７１の遊技領域７１１には、アタッカー７１４、始動入賞装置７１５、及び入賞しなかった遊技球Ｂが回収されるアウト口７１６が配置されている。遊技機７の球発射装置によって、遊技球Ｂは、開口穴７１３の外側とレール７１２の内側との間に形成された遊技領域７１１に発射され、遊技球Ｂによるパチンコ遊技が行われる。始動入賞装置７１５への遊技球Ｂの入賞に基づいて、遊技機７の制御装置は、図柄表示装置１における各表示機構体２Ａ，２Ｂを動作させるよう構成されている。
【００１６】
図１に示すように、本形態の複数の第１表示機構体２Ａは、遊技機７の横方向Ｗに３個並んで配置されており、本形態の複数の第２表示機構体２Ｂは、遊技機７の縦方向Ｈに３個並んで配置されている。第１表示機構体２Ａの表示体３の長手方向Ｌは、縦方向Ｈに平行であり、第２表示機構体２Ｂの表示体３の長手方向Ｌは、横方向Ｗに平行である。各表示機構体２Ａ，２Ｂの表示体３の長手方向Ｌは、各表示機構体２Ａ，２Ｂの表示体３における、遊技者から視認できる前側に配置される前側部分３０１の長手方向として示される。
【００１７】
第１表示機構体２Ａは、遊技機７の横方向Ｗに例えば２〜５個並べて配置してもよく、第２表示機構体２Ｂは、遊技機７の縦方向Ｈに例えば２〜５個並べて配置してもよい。図柄表示装置１において、第１表示機構体２Ａを配置する数と、第２表示機構体２Ｂを配置する数とは同じであってもよく、異なっていてもよい。
【００１８】
また、複数の第１表示機構体２Ａのうちのいずれか２つ以上の第１表示機構体２Ａは、その表示体３が前後に互いに重なるように配置してもよい。同様に、複数の第２表示機構体２Ｂのうちのいずれか２つ以上の第２表示機構体２Ｂは、その表示体３が前後に互いに重なるように配置してもよい。また、複数の第１表示機構体２Ａと複数の第２表示機構体２Ｂとは、それらの表示体３の長手方向Ｌが互いに異なっていればよく、例えば、それらの表示体３の長手方向Ｌが遊技機７の縦方向Ｈ及び横方向Ｗに対して傾斜していてもよい。
【００１９】
図１に示すように、各表示機構体２Ａ，２Ｂにおける移動機構４は、遊技機７の制御装置による制御を受けて、それぞれ独立して表示体３を移動させるものである。本形態の表示体３は、可撓性を有する長尺状の樹脂のフィルム（又はシート）によって構成されている。長尺状の樹脂のフィルムは、長手方向Ｌの両端部が互いに接続されており、環状に形成されている。移動機構４は、環状の表示体３を循環させる循環機構として機能する。
【００２０】
図３及び図４に示すように、各表示機構体２Ａ，２Ｂにおける移動機構４は、ベース４１、駆動源４２、伝達プーリ４３、複数の駆動プーリ４４、伝達ベルト４５及び複数の従動プーリ４６を用いて構成されている。図３は、第１移動機構体２Ａの構造を図柄表示装置１の側方から見た状態で示し、図４は、第２移動機構体２Ｂの構造を図柄表示装置１の上方から見た状態で示す。
【００２１】
ベース４１は、硬い樹脂又は金属のプレートによって形成されている。駆動源４２は、モータによって構成されており、ベース４１に取り付けられている。伝達プーリ４３及び複数の駆動プーリ４４は、ベース４１に回転可能に支持されており、駆動源４２によって回転駆動されるものである。伝達ベルト４５は、伝達プーリ４３と複数の駆動プーリ４４とに掛け渡されており、駆動源４２の回転力を、伝達プーリ４３を介して複数の駆動プーリ４４に伝達するものである。
【００２２】
複数の駆動プーリ４４には、伝達ベルト４５と表示体３とが掛け渡されている。伝達ベルト４５は、表示体３の内周側に位置し、各駆動プーリ４４に形成された外周溝４４１に掛け渡されている。複数の従動プーリ４６は、ベース４１に回転可能に支持されており、表示体３を介して複数の駆動プーリ４４の回転力を受けて従動回転するものである。
【００２３】
図３及び図４に示すように、本形態における、表示体３、駆動源４２、伝達プーリ４３、複数の駆動プーリ４４、伝達ベルト４５及び複数の従動プーリ４６は、ベース４１の一方側の表面に対向して配置されている。表示体３は、２つの駆動プーリ４４と２つの従動プーリ４６とに掛け渡された状態で環状に維持されている。駆動源４２による回転力が伝達プーリ４３及び伝達ベルト４５を介して２つの駆動プーリ４４に伝達され、２つの駆動プーリ４４が回転するときには、表示体３が回転し、その回転する表示体３を介して２つの従動プーリ４６が従動回転する。各駆動プーリ４４は、その外周面に表示体３を密着させて、表示体３が滑らないようにするために、エラストマーによって形成されている。
【００２４】
移動機構４のベース４１には、フィルムによる環状の表示体３に、テンション（張力）を付与するためのテンション部材４７が設けられている。テンション部材４７は、ベース４１に対して回動可能に支持されたアーム部材４７１と、アーム部材４７１に対して回転可能に支持されたテンション用プーリ４７２と、テンション用プーリ４７２が表示体３に回転接触するよう、アーム部材４７１に付勢力を付与するバネ等の付勢部材４７３とを有する。
【００２５】
テンション用プーリ４７２は、付勢部材４７３による付勢力を受けたアーム部材４７１によって、表示体３を屈曲させるように表示体３に接触している。２つの駆動プーリ４４が回転するときには、表示体３を介して２つの従動プーリ４６及びテンション用プーリ４７２が従動回転する。表示体３が経年劣化によって少しずつ長くなるときには、付勢部材４７３による付勢力を受けたテンション用プーリ４７２が表示体３の一部をさらに押すことにより、表示体３のテンションが保たれる。また、アーム部材４７１には、表示体３に接触して、表示体３に付着するゴミを掃除することができる突起４７４が設けられている。突起４７４は、綿、フェルト、布等によって形成されている。
【００２６】
第２表示機構体２Ｂの表示体３の基材は、第１表示機構体２Ａの表示体３における図柄３２が透けて見えるようにするために、透明樹脂のフィルムによって形成されている。第１表示機構体２Ａの表示体３の基材は、透明樹脂のフィルム、又は不透明樹脂もしくは半透明樹脂のフィルムのいずれによって形成されていてもよい。第１表示機構体２Ａの表示体３を透明又は半透明の樹脂のフィルムによって形成する場合には、この表示体３の、遊技盤７１の前面７１０に配置される前側部分３０１の後方には、この前側部分３０１の後方が透けて見えないようにする部材等を配置することができる。この部材は、例えば、画像表示装置とすることができ、この場合には、第１表示機構体２Ａの表示体３は、第２表示機構体２Ｂの表示体３と同様に、透明樹脂のフィルムによって形成される。本形態においては、図３に示すように、後述する発光装置６２が、表示体３の前側部分３０１の後方に配置されている。また、第２表示機構体２Ｂの表示体３の基材は、その全体を透明にすることができ、また、後述する空の区画域３１Ｂの部分のみ透明にすることもできる。
【００２７】
表示体３は、その長手方向Ｌにおいて複数の区画域３１に区画されている。図柄３２は、いずれかの区画域３１に配置される。図５は、第１表示機構体２Ａにおける表示体３を直線状に展開し、この表示体３におけるいずれか３つの区画域３１が、遊技盤７１の前面７１０の視認可能位置７２に配置される状態を模式的に示す図である。図６は、第２表示機構体２Ｂにおける表示体３を直線状に展開し、この表示体３におけるいずれか３つの区画域３１が、遊技盤７１の前面７１０の視認可能位置７２に配置される状態を模式的に示す図である。
【００２８】
同各図に示すように、図柄３２は、数字、文字、図形、記号、模様等として表され、第１表示機構体２Ａの表示体３には、複数種類の図柄３２が配置されている。表示体３における複数の区画域３１においては、図柄３２が配置された図柄区画域３１Ａと、図柄３２が配置されていない空の区画域３１Ｂとがある。
【００２９】
複数の第１表示機構体２Ａの表示体３における図柄区画域３１Ａと、複数の第２表示機構体２Ｂの表示体３における図柄区画域３１Ａとには、同じ図柄３２である「７」の図柄が含まれている。これにより、第１表示機構体２Ａによる図柄３２と第２表示機構体２Ｂによる図柄３２とを合わせて、遊技盤７１の前面７１０において、同じ図柄３２が並ぶ表示をすることができる。そのため、第１表示機構体２Ａによる図柄３２と第２表示機構体２Ｂによる図柄３２とを合わせて、例えば、縦方向Ｈ、横方向Ｗ又は斜め方向に３つの同じ図柄３２が揃った表示をすることができ、遊技の趣向性の高い表示演出を行うことができる。
【００３０】
また、各表示機構体２Ａ，２Ｂの表示体３における図柄区画域３１Ａに設ける図柄３２は、種々の表示をする構成とすることができる。
例えば、第１表示機構体２Ａによる図柄３２と、第２表示機構体２Ｂによる図柄３２とは、互いに前後に重なる表示、又は分割された図柄が互いに繋がって１つの組図柄を形成する表示をすることができる。
【００３１】
また、各表示機構体２Ａ，２Ｂの表示体３における図柄区画域３１Ａに設ける図柄３２によって、種々の表示演出を行うことができる。
例えば、第１表示機構体２Ａによる図柄３２である「７」と、第２表示機構体２Ｂによる図柄３２である「７」とを、互いに前後に重ならせて、あたかも一体の「７」となったかのように表示させることができる。また、「７」の図柄３２が一体となった状態から、表示機構体２Ａ，２Ｂのいずれかの表示体３を回転させて、一体となった図柄３２があたかも分身したかのように分離させて表示させることができる。これにより、遊技の趣向性の高い表示演出を行うことができる。
【００３２】
本形態の第１表示機構体２Ａの表示体３における複数の図柄区画域３１Ａには、複数種類の図柄３２が設けられている。一方、本形態の第２表示機構体２Ｂの表示体３における複数の図柄区画域３１Ａには、１種類の図柄３２が設けられている。第２表示機構体２Ｂの表示体３における図柄区画域３１Ａの全体において設けられた「７」の図柄３２は、第１表示機構体２Ａの表示体３における図柄区画域３１Ａに設けられた「７」の図柄３２と同じである。第１表示機構体２Ａ及び第２表示機構体２Ｂの各表示体３には、図柄区画域３１Ａの他に、複数の空の区画域３１Ｂが形成されている。
【００３３】
図５及び図６に示すように、第１表示機構体２Ａ及び第２表示機構体２Ｂのいずれにおいても、移動機構４による表示体３の移動によって、表示体３における複数の区画域３１のうちの、いずれか３つの互いに隣り合う区画域３１が、選択区画域として選択される。この選択区画域は、遊技盤７１の前面７１０の視認可能位置７２に配置される。視認可能位置７２は、選択区画域としての、縦３列及び横３列の９つの区画域３１が、遊技者によって視認することができる位置として設定されている。
【００３４】
図２、図５及び図６に示すように、遊技盤７１の前面７１０の視認可能位置７２には、３つの第１表示機構体２Ａの表示体３によって、縦方向Ｈに互いに隣り合う３つの区画域３１が横方向Ｗに３列配置され、縦３列及び横３列の格子状に区画域３１が配置される。また、遊技盤７１の前面７１０の視認可能位置７２には、３つの第２表示機構体２Ｂの表示体３によって、横方向Ｗに互いに隣り合う３つの区画域３１が縦方向Ｈに３列配置され、横３列及び縦３列の格子状に区画域３１が配置される。視認可能位置７２においては、３つの第２表示機構体２Ｂの表示体３における横３列及び縦３列に並ぶ区画域３１は、３つの第１表示機構体２Ａの表示体３における縦３列及び横３列に並ぶ区画域３１の前方Ｆに重なって配置される。
【００３５】
図柄表示装置１は、縦３列及び横３列に並ぶ区画域３１の周辺を遮蔽する遮蔽部材５Ａ，５Ｂを有する。遮蔽部材５Ａ，５Ｂは、視認可能位置７２に配置された、縦３列及び横３列に並ぶ９つの区画域３１を、遊技者によって視認可能にするための視認窓５１を形成する。視認窓５１の形成によって、遊技盤７１の前面７１０の視認可能位置７２において、９つの区画域３１における各図柄３２が、所定の間隔で互いに独立して格子状に配置される状態が形成される。
【００３６】
図２に示すように、遮蔽部材５Ａ，５Ｂは、図柄表示装置１が遊技盤７１の開口穴７１３に配置されたときに、開口穴７１３を塞ぐように配置される。図１に示すように、遮蔽部材５Ａ，５Ｂは、各表示体３の長手方向Ｌに直交する幅方向Ｍの両端部が遊技者から視認できないように、各表示体３の幅方向Ｍの両端部を遮蔽している。遮蔽部材５Ａ，５Ｂは、３つの第１表示機構体２Ａの表示体３同士の間の部位５２、３つの第２表示機構体２Ｂの表示体３同士の間の部位５３、３つの第１表示機構体２Ａのうちの横方向Ｗの両端に位置する第１表示機構体２Ａの外側の部位５４、及び３つの第２表示機構体２Ｂのうちの縦方向Ｈの両端に位置する第２表示機構体２Ｂの外側の部位５５に配置され、これらの部位５２，５３，５４，５５が遊技者から視認できないようにする。
【００３７】
図１〜図４に示すように、本形態の遮蔽部材５Ａ，５Ｂは、第１表示機構体２Ａの表示体３同士の間の部位５２を遮蔽する第１遮蔽部材５Ａと、第２表示機構体２Ｂの表示体３同士の間の部位５３、横方向Ｗの両端に位置する第１表示機構体２Ａの外側の部位５４、及び縦方向Ｈの両端に位置する第２表示機構体２Ｂの外側の部位５５を遮蔽する第２遮蔽部材５Ｂとからなる。各遮蔽部材５Ａ，５Ｂは、不透明の樹脂によって板状に形成されている。
【００３８】
第１遮蔽部材５Ａは、第１表示機構体２Ａの表示体３と第２表示機構体２Ｂの表示体３との間に配置されている。第２遮蔽部材５Ｂは、第２表示機構体２Ｂの表示体３の前方Ｆに配置されている。そして、第１遮蔽部材５Ａと第２遮蔽部材５Ｂとが合わさって、遊技盤７１の前面７１０に配置される９つの区画域３１のそれぞれの周囲の全体が遮蔽される。なお、遮蔽部材５Ａ，５Ｂは、第２表示機構体２Ｂの前方に配置する１つの遮蔽部材とすることもできる。この場合には、１つの遮蔽部材は、縦３列及び横３列に並ぶ９つの区画域３１の各区画域３１がそれぞれ配置される９つの視認窓を有し、９つの視認窓のそれぞれの周囲を遮蔽することができる。
【００３９】
２つの遮蔽部材５Ａ，５Ｂを用いる場合には、第１表示機構体２Ａの表示体３は、第１遮蔽部材５Ａ及び第２遮蔽部材５Ｂの後方を通過する一方、第２表示機構体２Ｂの表示体３は、第２遮蔽部材５Ｂの後方であって第１遮蔽部材５Ａの前方を通過する。そのため、第１表示機構体２Ａの表示体３における図柄３２が第１遮蔽部材５Ａ及び第２遮蔽部材５Ｂの後方を通過するときの見え方と、第２表示機構体２Ｂの表示体３における図柄３２が第２遮蔽部材５Ｂの後方であって第１遮蔽部材５Ａの前方を通過するときの見え方とには若干の差異があり、図柄表示装置１によって表示する図柄３２の全体の見栄えが若干悪くなることが懸念される。これに対し、遮蔽部材５Ａ，５Ｂを、１つの遮蔽部材から構成するときには、第１表示機構体２Ａの表示体３及び第２表示機構体２Ｂの表示体３の両方が１つの遮蔽部材の後方を通過することになり、前述した見栄えが若干悪化する懸念が解消される。
【００４０】
遮蔽部材５Ａ，５Ｂを用いることにより、遊技盤７１の前面７１０において、第２表示機構体２Ｂの表示体３を透過して第１表示機構体２Ａの表示体３の図柄３２が視認できる位置を明確に特定することができ、図柄３２の表示の見栄えを良くすることができる。
【００４１】
遊技機７の制御装置は、各表示機構体２Ａ，２Ｂにおける移動機構４を操作して、環状の表示体３を回転させ、表示体３の複数の区画域３１のうちのいずれの位置にある、互いに隣り合う３つの区画域３１を、９つの視認窓５１に配置するかを決定する。表示体３は、移動機構４によって長手方向Ｌの一方向又は他方向のいずれの方向にも送ることができる。
【００４２】
本形態の駆動源４２は、位置の制御が可能なステッピングモータからなる。そして、遊技機７の制御装置は、９つの視認窓５１に配置される、表示体３の３つの区画域３１を決定するために、移動機構４を操作して表示体３の回転位置を制御する。ただし、この表示体３の回転位置には、ステッピングモータに生じる脱調等によってずれが生じることがある。そこで、図３及び図４に示すように、移動機構４には、表示体３の回転位置（移動位置）を検出する検出部６１が設けられている。本形態の検出部６１は、位置検出センサとしての機能を有する。本形態の検出部６１は、互いに対向する発光部と受光部とを有するフォトセンサ６１Ａによって構成されており、フォトセンサ６１Ａは、発光部から受光部へ通過する光が遮られたか否かを検出するよう構成されている。
【００４３】
図２、図５及び図６に示すように、各表示機構体２Ａ，２Ｂの表示体３の幅方向Ｍの一方側の端部には、検出部６１によって検出される被検出部３３が設けられている。本形態の表示体３は、透明樹脂のフィルムを基材としており、被検出部３３は、フィルムにおける透明部分に設けられた不透明部分として形成されている。被検出部３３は、黒色のマークによって構成することができ、アルミニウム材料等の金属材料によって構成することもできる。
【００４４】
図５及び図６に示すように、被検出部３３は、表示体３における区画域３１ごとに設けられている。被検出部３３は、各区画域３１の幅方向Ｍの一方側の端部における、長手方向Ｌの特定の位置に設けられている。そして、検出部６１は、各区画域３１における被検出部３３を検出することにより、表示体３の回転位置を検出する。そして、移動機構４は、検出部６１からの検出信号を受けて、９つの視認窓５１に配置される３つの互いに隣り合う区画域３１である選択区画域の長手方向Ｌの位置合わせを行うことができる。検出部６１及び被検出部３３を用いた構成により、移動機構４は、表示体３の回転位置の位置ずれを補正して、表示体３の回転位置をより正確に制御することができる。
【００４５】
本形態の遮蔽部材５Ａ，５Ｂは、各表示機構体２Ａ，２Ｂにおける表示体３に設けられた被検出部３３が、遊技盤７１の前面７１０から視認できないように配置されている。移動機構４によって表示体３が回転するときには、表示体３の区画域３１における図柄３２が回転するとともに、表示体３の各区画域３１に対応して設けられた被検出部３３も回転する。このとき、被検出部３３が回転する状態が遊技者によって視認されると、図柄表示装置１による図柄３２の表示の見栄えが悪くなる。そのため、遊技盤７１の前面７１０において、被検出部３３が視認されず、図柄３２のみが遊技者によって視認されるようにすることにより、図柄３２の表示の見栄えを良くすることができる。
【００４６】
また、図５及び図６に示すように、表示体３における区画域３１ごとに設けられた複数の被検出部３３のうちのいずれか１つは、表示体３の回転基準位置を検出するために、他の被検出部３３とは大きさが異なる基準被検出部３３Ａとして形成されている。回転基準位置は、表示体３を初期位置又は停止位置にする際に利用される。また、検出部６１は、基準被検出部３３Ａの検出が可能になるように、表示体３の長手方向Ｌに隣接する２つのフォトセンサ６１Ａによって構成されている。基準被検出部３３Ａは、２つのフォトセンサ６１Ａの両方において同時に検出が可能となる長手方向Ｌの長さに形成されている。一方、被検出部３３は、片方のフォトセンサ６１Ａのみによって検出が可能となり、かつ２つのフォトセンサ６１Ａの両方において同時に検出されることはない長手方向Ｌの長さに形成されている。複数の被検出部３３のそれぞれの長手方向Ｌの長さは互いに同じとしている。
【００４７】
また、２つのフォトセンサ６１Ａを用いることにより、表示体３が長手方向Ｌの一方向に回転するときと、長手方向Ｌの他方向に回転するときとにおいて、いずれのフォトセンサ６１Ａが被検出部３３を先に検出するかの順序が変化する。これにより、表示体３が長手方向Ｌの一方向及び他方向のいずれに回転しているのかを検出することができ、表示体３の回転の制御を適切に行うことができる。
【００４８】
検出部６１は、片方のフォトセンサ６１Ａにおける発光部から受光部への光が遮られるときには、被検出部３３が光を遮っていることを検出し、２つのフォトセンサ６１Ａにおける発光部から受光部への光が同時に遮られるときには、基準被検出部３３Ａが光を遮っていると検知する。これにより、検出部６１は、各区画域３１に対応した被検出部３３の検出と、基準となる区画域３１に対応した基準被検出部３３Ａの検出とが可能である。
【００４９】
ステッピングモータの脱調等によって表示体３の回転位置にずれが生じる場合において、検出部６１によって被検出部３３を検出することのみによっては、移動機構４は、表示体３の回転基準位置を検知することができない。そのため、複数の被検出部３３のうちのいずれか１つを基準被検出部３３Ａとすることにより、移動機構４によって、表示体３の回転基準位置を検知して、表示体３の回転位置の制御をより正確に行うことができる。
【００５０】
図２及び図３に示すように、第１表示機構体２Ａの環状の表示体３の内側に形成される空間には、ＬＥＤ等の光源６２１を有する発光装置６２が配置されている。図２においては、光源６２１を部分的に図示し、全体の図示を省略する。発光装置６２の光源６２１は、第１表示機構体２Ａの表示体３及び第２表示機構体２Ｂの表示体３における、９つの視認窓５１に配置される区画域３１を発光させるためのものである。本形態の光源６２１は、遊技盤７１の前面７１０から視認される、縦３列及び横３列の９つの区画域３１のそれぞれを個別に発光させることができるよう、この９つの区画域３１の後方にそれぞれ配置されている。光源６２１は、複数のＬＥＤ等を適宜間隔で配置したものとすることができる。本形態の光源６２１は、遊技盤７１の前面７１０から視認される９つの区画域３１のそれぞれに対して、等間隔で格子状に並ぶよう配置された９つのＬＥＤによって構成されている。
【００５１】
そして、各ＬＥＤを発光させるタイミングをずらすことによって、遊技盤７１における遊技に応じて、種々の光の演出を行うことが可能である。この光の演出は、例えば、各ＬＥＤによる発光位置が順次変化して、この発光位置が９つの区画域３１の中心の周りに回転する演出とすることができる。
【００５２】
また、表示体３は、光を拡散する部材によって形成してもよい。この場合には、光源６２１から発せられた光を、表示体３によって拡散させて、遊技者に視認させることができる。発光装置６２の前面部であって複数の光源６２１の前方には、光拡散カットを施したレンズ部材を配置してもよい。この場合には、光源６２１から発せられた光を、レンズ部材によって拡散させて、表示体３に照射することができる。また、これらの場合には、表示体３が面によって発光する状態を効果的に形成することができ、表示体３が発光するときの意匠外観性を向上させることができる。
【００５３】
図柄表示装置１の各表示機構体２Ａ，２Ｂの表示体３における図柄３２は、様々な態様で配置することができる。
図５に示す、各第１表示機構体２Ａの表示体３における図柄３２の配置の例においては、各表示体３は、長手方向Ｌに並ぶ１０個の区画域３１に区画されている。各区画域３１には、縦方向Ｈ、横方向Ｗ又は斜め方向のいずれかの方向に３つ揃ったときに大当たり図柄列を形成する数字の「７」、いずれかの方向に３つ揃ったときに小当たり図柄列を形成する模様の「△」、いずれかの方向に３つ揃ったときにリプレイ図柄列を形成する模様の「○」、又はブランク図柄（空白）としての「  」（図柄３２なし）が設けられている。「７」、「△」又は「○」が設けられた区画域３１は、図柄区画域３１Ａを構成し、図柄３２がない区画域３１は、空の区画域３１Ｂを構成する。「７」、「△」又は「○」が設けられた図柄区画域３１Ａは、１つの空の区画域３１Ｂを間に挟んで配置されている。
【００５４】
図６に示す、各第２表示機構体２Ｂの表示体３における図柄３２の配置の例においては、各表示体３は、長手方向Ｌに並ぶ１０個の区画域３１に区画されている。各区画域３１には、いずれかの方向に３つ揃ったときに大当たり図柄列を形成する数字の「７」、又はブランク図柄（空白）としての「  」（図柄３２なし）が設けられている。「７」が設けられた区画域３１は、図柄区画域３１Ａを構成し、図柄３２がない区画域３１は、空の区画域３１Ｂを構成する。各第２表示機構体２Ｂの表示体３においては、空の区画域３１Ｂが互いに隣り合って３つ以上配置された区画域帯３１Ｃが形成されている。第２表示機構体２Ｂの表示体３における数字の「７」は、第１表示機構体２Ａの表示体３における数字の「７」と同じ図柄３２として形成されている。
【００５５】
遊技機７の制御装置においては、遊技盤７１の遊技領域７１１における始動入賞装置７１５への遊技球Ｂの入賞状況に応じて、大当たり図柄、小当たり図柄、リプレイ図柄又はブランク図柄のいずれを９つの視認窓５１に配置するかが、所定の抽選確率に基づいて決定される。そして、制御装置は、図柄表示装置１において、抽選確率に基づいて決定された図柄表示を行うために、各表示機構体２Ａ，２Ｂの移動機構４による表示体３の回転量及び回転位置を制御する。また、制御装置は、最も大きな大当たりとしての超当たりの図柄表示を行うときには、数字の「７」が、９つの視認窓５１の全てに配置される状態を形成する。
【００５６】
超当たりとしての数字の「７」が９つの視認窓５１の全てに配置される状態は、様々な過程を経て形成することができる。超当たりの状態を形成する際に、各第１表示機構体２Ａの表示体３と各第２表示機構体２Ｂの表示体３とは、どのような順序で回転させてもよい。例えば、各第１表示機構体２Ａの表示体３と各第２表示機構体２Ｂの表示体３とを同時に回転させて、９つの視認窓５１に配置する図柄３２を決定することができる。
【００５７】
また、例えば、各第１表示機構体２Ａの表示体３と各第２表示機構体２Ｂの表示体３とは、いずれか一方を先に回転させて、その図柄３２を９つの視認窓５１に配置した後、他方を回転させて、その図柄３２を９つの視認窓５１に配置することもできる。また、例えば、各第１表示機構体２Ａの表示体３と各第２表示機構体２Ｂの表示体３とは、それぞれを交互に回転させて、それらの図柄３２を９つの視認窓５１に配置することもできる。また、各表示機構体２Ａ，２Ｂの表示体３は、同時に回転させた後、個別に停止させることができ、個別に回転させた後、個別に停止させることもできる。
【００５８】
図７には、制御装置において超当たりの図柄表示を行うことが決定された際に、各第１表示機構体２Ａの表示体３における「７」の図柄３２１と、各第２表示機構体２Ｂの表示体３における「７」の図柄３２２とが、９つの視認窓５１に配置される過程の一例を示す。ハッチングされた「７」等は、第１表示機構体２Ａの表示体３における図柄３２１であることを示し、ハッチングされていない「７」は、第２表示機構体２Ｂの表示体３における図柄３２２であることを示す。第１表示機構体２Ａの表示体３における図柄３２１は、縦方向Ｈに移動し、第２表示機構体２Ｂの表示体３における図柄３２２は、横方向Ｗに移動する。
【００５９】
そして、第１表示機構体２Ａの表示体３における「７」の図柄３２１と、第２表示機構体２Ｂの表示体３における「７」の図柄３２２とが視認窓５１に順次配置されていく。その後、最終的に、９つの視認窓５１に、第１表示機構体２Ａの表示体３における「７」の図柄３２１と、第２表示機構体２Ｂの表示体３における「７」の図柄３２２とが合わさって、「７」の図柄３２１，３２２が縦３列及び横３列に並ぶ超当たりの表示が確定される。
【００６０】
本形態の遊技機７の図柄表示装置１においては、３つの第１表示機構体２Ａの表示体３の前側部分３０１の前方Ｆに、３つの第２表示機構体２Ｂの表示体３の前側部分３０１が重なっており、３つの第１表示機構体２Ａの表示体３の前側部分３０１における図柄３２が、３つの第２表示機構体２Ｂの表示体３の前側部分３０１を透過して視認される。そして、遊技機７における遊技の状態に応じて、３つの第１表示機構体２Ａの表示体３における図柄３２１と、３つの第２表示機構体２Ｂの表示体３における図柄３２２とが合わさって、図柄３２１，３２２が、縦方向Ｈ、横方向Ｗ及び斜め方向の少なくともいずれかに３つ並ぶ状態を遊技者に表示することができる。
【００６１】
この図柄３２１，３２２の合わせ方の演出は、第１表示機構体２Ａの表示体３の縦方向Ｈへの回転と、第２表示機構体２Ｂの表示体３の横方向Ｗへの回転とを組み合わせて行う。また、第１表示機構体２Ａの表示体３は縦方向Ｈの一方側及び他方側のいずれに回転させることもでき、第２表示機構体２Ｂの表示体３は横方向Ｗの一方側及び他方側のいずれに回転させることもできる。そのため、図柄３２１，３２２の合わせ方に多様性を持たせることができる。その結果、図柄３２１，３２２に予測しにくい動きを与えることができ、遊技の趣向性を高く維持することができる。
【００６２】
なお、第１表示機構体２Ａによる図柄３２１と第２表示機構体２Ｂによる図柄３２２とが、１つの視認窓５１内において前後方向に重なって前後方向に組み合わさることによって、例えば「７」等の特別な１つの図柄を表示するように構成してもよい。
また、各視認窓５１の形状は、正方形の他、横長の長方形、縦長の長方形、円形、楕円形等の種々の形状とすることができる。必ずしも視認窓５１の全てを同一の形状にする必要はなく、複数の視認窓５１の形状は互いに異なっていてもよい。例えば、縦３列及び横３列に並ぶ９つの視認窓５１のうち、中心に位置する視認窓５１のみを、他の視認窓５１に比べて大きく形成することもできる。
【００６３】
また、図柄表示装置１を用いることにより、遊技機７における画像表示装置を廃止する、又は画像表示装置における画像表示機能を簡略化することができる。これにより、遊技機７の構造を簡単にして、遊技機７の導入コストを低減させることができる。
それ故、本形態の遊技機７の図柄表示装置１によれば、遊技機７における遊技の趣向性を高く維持して、遊技機７の導入コストを低減させることができる。
【００６４】
本形態において示した図柄表示装置１は、本発明に基づいて取り得る構成の一例を示すものである。本発明は、実施形態のみに限定されるものではなく、その要旨を逸脱しない範囲においてさらに異なる実施形態を構成することが可能である。
【符号の説明】
【００６５】
１  図柄表示装置
２Ａ  第１表示機構体
２Ｂ  第２表示機構体
３  表示体
３１，３１Ａ，３１Ｂ  区画域
３２，３２１，３２２  図柄
３３  被検出部
４  移動機構
５Ａ，５Ｂ  遮蔽部材
６１  検出部
７  遊技機
【図１】
2018134329.tif 000003
【図２】
2018134329.tif 000004
【図３】
2018134329.tif 000005
【図４】
2018134329.tif 000006
【図５】
2018134329.tif 000007
【図６】
2018134329.tif 000008
【図７】
2018134329.tif 000009